(57)【要約】【課題】排水栓用のヘアキャッチャアにおいて捕集された髪の毛、繊維屑、その他のゴミ等を取り除きやすい構造のヘアキャッチャアを実現する。【解決手段】ヘアキャッチャア１は、排水口に引っ掛け可能な円環体を備えた円状体３と、円状体３の中央部４に挿通される軸部５と、軸部５の上部に固定される捕集体６とを備えており、円状体３は、軸部５の下部と捕集体６の間を上下方向に移動可能であり、しかも、円状体３は、内部に複数のリング１０を備え、捕集体６は、放射状の桟１６を備え排水口２に設置時は、円状体３と捕集体６とが当接し、円状体３の複数のリング１０と捕集体６の放射状の桟１６が重なった状態で装着され、髪の毛、繊維屑、その他のゴミ等を捕集されやすい。【選択図】図１
2008267041.tif 000002
【特許請求の範囲】
【請求項１】
排水口に引っ掛け可能な円環体を備えた円状体と、円状体の中央部に挿通される軸部と、軸部の上部に固定される捕集体とを備えたへアキャッチャアであって、円状体が軸部の下部と捕集体の間を上下方向に移動可能であることを特徴とするへアキャッチャア。
【請求項２】
請求項１記載のへアキャッチャアであって、円状体は、内部に複数のリングを備えてい ることを特徴とするへアキャッチャア。
【請求項３】
請求項２記載のへアキャッチャアであって、捕集体は、放射状の桟を備えていることを 特徴とするへアキャッチャア。
【請求項４】
請求項３記載のへアキャッチャアであって、排水口に設置時は、円状体と捕集体とが当 接し、円状体の複数のリングと捕集体の放射状の桟が重なっていることを特徴とするヘアキャッチャア。
【発明の詳細な説明】
【技術分野】
【０００１】
本発明は、洗面ボウル等の排水口に用い、髪の毛、繊維屑、その他のゴミ等を捕集するヘアキャッチャアに関する。
【背景技術】
【０００２】
従来、排水口用のへアキャッチャアにおいて、軸に２つのへアキャッチャア本体を上下に設けたものが公知である（特許文献１参照）。
【０００３】
図５に示すへアキャッチャア２１も軸２２に２つのへアキャッチャア２３、２４を上下に設けた構成のものであり、へアキャッチャア２１の頭部２５から下方に延びる軸２２の上部には、底の浅いヘアキャッチャア２３取り付けられており、軸２２の下部に錐状に傾斜した別のヘアキャッチャア２４が取り付けられて成る。
【０００４】
排水栓用のへアキャッチャアにおいて、軸に２つのリング体を螺着し、回転により、リング体の放射状捕集リブのへアキャッチャア率や排水効率を変更し得るようにしたものが公知である（特許文献２参照）。
【０００５】
また、排水口用のへアキャッチャアにおいて、放射状捕集リブを軸の方向に向かって低くなるように錐状に傾斜して形成したものが公知である（特許文献３参照）。排水栓用のへアキャッチャアにおいて、放射状の桟を屈曲させたものが公知である（特許文献４参照）。
【０００６】
【特許文献１】特開２００５−０７４０４０号公報
【特許文献２】特開２００６−０６３５１６号公報
【特許文献３】特開２００５−３０７６１６号公報
【特許文献４】実開平０７−０２５０６４号公報
【発明の開示】
【発明が解決しようとする課題】
【０００７】
上記従来の排水口用のへアキャッチャアは、次のような問題がある。例えば、図５において、軸２２に上下２つのヘアキャッチャ２３、２４が設けられており、髪の毛、繊維くず、その他のゴミ等をより確実に捕捉する構成となっている。しかし、軸２２に対してヘアキャッチャア２３、２４が固定されているために、排水栓を清掃する際に、ヘアキャッチャアから捕集された髪の毛、繊維屑、その他のゴミ等を取り除きにくいという問題がある。
【０００８】
本発明は、上記従来のヘアキャッチャアの問題を解決することを目的とするものであり、排水栓用のへアキャッチャアにおいて捕集された髪の毛、繊維屑、その他のゴミ等を取り除きやすい構造のへアキャッチャアを実現するものである。
【課題を解決するための手段】
【０００９】
本発明は上記課題を解決するために、排水口に引っ掛け可能な円環体を備えた円状体と、円状体の中央部に挿通される軸部と、軸部の上部に固定される捕集体とを備えたへアキャッチャアであって、円状体が軸部の下部と捕集体の間を上下方向に移動可能であることを特徴とするへアキャッチャアを提供する。
【００１０】
上記へアキャッチャアにおいて、円状体は、内部に複数のリングを備える構成としてもよい。
【００１１】
上記へアキャッチャアにおいて、捕集体は、放射状の桟を備える構成としてもよい。
【００１２】
上記へアキャッチャアは、排水口に設置時は、円状体と捕集体とが当接し、円状体の複数のリングと捕集体の放射状の桟が重なっている構成としてもよい。
【発明の効果】
【００１３】
本発明に係るヘアキャッチャアによれば、捕集体と、捕集体として機能する円状体を上下に設け、へアキャッチャアを持ち上げた際に、捕集体と円状体を上下に分離することができるから、ヘアキャッチャアの髪の毛、繊維屑、その他のゴミ等を取り除き易くなり、掃除性を向上させることができる。
【発明を実施するための最良の形態】
【００１４】
本発明に係るヘアキャッチャアを実施するための最良の形態を実施例に基づき図面を参照して、以下説明する。
【実施例】
【００１５】
図１〜４は、本発明に係るヘアキャッチャアの実施例を説明する図である。図１（ａ）に示すように、この実施例のヘアキャッチャア１は、排水口２（図４（ａ）参照）に引っ掛け可能な円環体９を備えた円状体３と、円状体３の中央部４に挿通される軸部５と、軸部５の上部に固定される捕集体６とを備えている。
【００１６】
円状体３は、図２（ａ）〜（ｃ）に示すように、円筒状で挿通孔７を有する中央部４と、連結杆８と、円環体９と、複数の円形のリング１０とを備えている。中央部４、複数の円形のリング１０及び円環体９は、連結杆８によって互いに同心的に固定されている。複数の円形のリング１０は、中央部４と円環体９の間には配置されて連結杆８で固定されている。
【００１７】
円環体９は、筒部１１とその上端のフランジ１２とから形成されている。フランジ１２は、排水口２より小径に形成されており、後記するが、排水口２の段部１３に載置されて引っ掛けられるように、放射方向に張り出されるように構成されている。
【００１８】
軸部５は、図３（ａ）〜（ｃ）に示すように、円柱状に形成されている。軸部５の下端には、軸部５及び挿通孔７より径の大きい抜け止め用のディスク１４が設けられている。軸部５は、下方から円状体３の中央部４の挿通孔内に挿入され、挿通孔７内を上下方向に摺動可能である。
【００１９】
捕集体６は、図３（ｄ）〜（ｆ）に示すように、円柱部１５と、この円柱部１５の下端から放射方向に延びる複数の放射状の桟１６を備えている。この放射状の桟１６は、その上面が、根元（基端）側から先端側にかけてテーパ状に低くなり、上下方向の厚さが徐々に小さくなって形成されている。要するに、桟１６の根元側の太さを太くしており、このような構成とすると、捕集体６の根元の強度が向上する。捕集体６は、硬質の樹脂材で形成されている。
【００２０】
円柱部１５の上端には、円形の摘み用のディスク１７が取り付けられている。円柱部１５及び摘み用のディスク１７には、それら軸心を中心とした圧入孔１８が、上下方向に貫通して形成されている。これにより、軸部５を捕集体６の圧入孔１８に圧入して装着することが可能である。
【００２１】
なお、圧入孔１８の代わりに、ネジ孔（図示せず）を円柱部１５に形成し、一方、軸部５の周面にネジ（図示せず）を形成し、軸部５を円柱部１５に螺着し、軸部５の上部に捕集体６を取り付けられるような構成としてもよい。
【００２２】
ヘアキャッチャア１を組み立てる場合には、図１（ｂ）に示すように、軸部５を下方から円状体３の中央部４の挿通孔７を挿通し、中央部４の挿通孔７より上方に露出させ、このように露出させた軸部５の上端に対して、捕集体６を下方に移動して、相対的に軸部５を捕集体６の円柱部１５の圧入孔１８に圧入して固定する。
【００２３】
このようにして、図１（ｃ）に示すようなヘアキャッチャア１が組み立てられる。この組み立てられた状態では、円状体３と捕集体６とが当接し、円状体３の複数のリング１０と捕集体６の放射状の桟１６が重なっている。これにより、ヘアキャッチャア１を排水孔２に装着すると、円形のリング１０と放射状の桟１６の方向が異なって交差しているため、髪の毛、繊維屑、その他のゴミ等が捕集されやすくなる。
【００２４】
図６（ａ）〜（ｃ）は、捕集体の変形例１を示す図である。この変形例１の捕集体２６は、図３（ｄ）〜（ｆ）に示す上記実施例の捕集体６とほぼ同じ構成で、硬質の樹脂材で形成されており、摘み用のディスク１７を頭部を設けた円柱部１５には、圧入孔１８が形成されている。                            
【００２５】
しかし、この捕集体２６の桟２７は、その上下方向の厚みは、根元から先端まで、捕集体６のようなテーパ状に形成されているものではなく、ほぼ同じである。そして、複数の桟２７の先端は、円環２８に結合されている。このような構成とすることで、桟２７の強度、特にその先端の強度が向上される。
【００２６】
図７（ａ）〜（ｃ）は、捕集体の変形例２を示す図である。この変形例２の捕集体２９も、図３（ｄ）〜（ｆ）に示す上記実施例の捕集体とほぼ同じ構成で、摘み用のディスク１７を頭部を設けた円柱部１５には、圧入孔１８が形成されている。 
【００２７】
しかし、この捕集体２９の桟３０は、その上下方向の厚みは、根元から先端まで、捕集体６のようなテーパ状に形成されているものではなく、ほぼ同じである。そして、この捕集体２９は、軟質の樹脂材で形成されている。このような構成により、桟３０が折れることなどを気にせずに拭くことができ、捕集した髪の毛、繊維屑、その他のゴミ等を取り除き易くなる。
【００２８】
（作用）
以上の構成のヘアキャッチャア１の作用を使用例の説明を通して以下に説明する。図１（ｃ）に示すように組み立てたヘアキャッチャア１を、図４（ａ）に示すように排水口２に装着する。この装着状態では、円状体３のフランジ１２は、排水口２の段部１３に載置されて引っ掛けられる。排水口２を通過する排水中に含まれる髪の毛、繊維屑、その他のゴミ等は、捕集体６の複数の放射状の桟１６及び複数のリング１０で捕集される。
【００２９】
ヘアキャッチャア１で捕集した髪の毛、繊維屑、その他のゴミ等を取り除いて清掃する場合には、摘み用のディスク１７を摘んで、図４（ｂ）に示すように、捕集体６を上方に持ち上げる。すると、軸部５は、円状体３の中央部４の挿通孔７で案内され、抜け止め用のディスク１４が円状体３の中央部４の下端に当接するまで、上方に移動する。
【００３０】
その状態で、さらに捕集体６を上方に持ち上げれば、ヘアキャッチャア１を排水口２から取り出すことができる。そして、図４（ｃ）に示すように、捕集体６の放射状の桟１６に捕集された髪の毛１９、繊維屑、その他のゴミ等を取り除くことができる。また、円状体３のリング１０によって捕集された髪の毛、繊維屑、その他のゴミ等を取り除くことができる。
【００３１】
この場合、軸部５を円状体３の中央部４の挿通孔７を通して上方に移動することで、捕集体６と円状体３との間に十分な隙間２０が形成されるので、使用者は、捕集体６の放射状の桟１６の下方及び円状体３のリング１０に手を入れ易くなり、従って、髪の毛１９、繊維屑、その他のゴミ等を取り除き易くなる。  
【００３２】
以上、本発明に係るヘアキャッチャアを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３３】
以上の構成から成る本発明に係るヘアキャッチャアは、洗面ボウル等の排水口だけでなく、浴室、浴槽、流し等の排水口にも適用可能である。
【図面の簡単な説明】
【００３４】
【図１】本発明に係るヘアキャッチャアの実施例を説明する図であり、（ａ）はヘアキャッチャアを分解した状態を示し、（ｂ）はヘアキャッチャアの組み立て過程を示し、（ｃ）は組み立完了後の状態を示す。
【図２】本発明の実施例のヘアキャッチャアの円状体を説明するための図であり、（ａ）は平面図、（ｂ）は側面図、（ｃ）は斜視図である。
【図３】本発明の実施例のヘアキャッチャアの軸部と捕集体をそれぞれ示す図であり、（ａ）、（ｄ）は平面図、（ｂ）、（ｅ）は側面図、（ｃ）、（ｆ）は斜視図である。
【図４】本発明に係るヘアキャッチャアの実施例の作用を説明する図である。
【図５】本発明に係るヘアキャッチャアの従来例を説明する図である。
【図６】本発明の実施例のヘアキャッチャアにおいて、捕集体の変形例１を説明する図であり、（ａ）は平面図、（ｂ）は側面図、（ｃ）は斜視図である。
【図７】本発明の実施例のヘアキャッチャアにおいて、捕集体の変形例２を説明する図であり、（ａ）は平面図、（ｂ）は側面図、（ｃ）は斜視図である。
【符号の説明】
【００３５】
１  ヘアキャッチャア                      
２  排水口                                
３  円状体                                
４  中央部                                
５  軸部                                  
６、２６、２９  捕集体                                
７  挿通孔                                
８  連結杆                                
９  円環体                                
１０  リング                                
１１  筒部                                 
１２  フランジ                             
１３  排水口の段部                         
１４  抜け止め用のディスク                 
１５  円柱部                               
１６、２７、３０  放射状の桟                           
１７  摘み用のディスク                     
１８  圧入孔                               
１９  髪の毛                               
２０  捕集体と円状体との間の隙間           
２２  軸                                   
２１、２３、２４  へアキャッチャア（従来例）              
２５  頭部 
２８  円環
【図１】
2008267041.tif 000003
【図２】
2008267041.tif 000004
【図３】
2008267041.tif 000005
【図４】
2008267041.tif 000006
【図５】
2008267041.tif 000007
【図６】
2008267041.tif 000008
【図７】
2008267041.tif 000009